(57)【特許請求の範囲】
【請求項１】
電子機器に記憶されたスプリットアプリケーションのための方法であって、
前記スプリットアプリケーションに起動時間の少なくとも１つのパラメータを記憶することと、ここで、前記起動時間の長さは、前記スプリットアプリケーションにアクセスし、前記少なくとも１つのパラメータを変更することによって、前記電子機器のユーザによって調整可能である、と、
少なくとも前記起動時間の前記長さにわたって前記電子機器のタッチスクリーン上に同時複数のタッチ位置があることを検出することと、
少なくとも前記起動時間の前記長さにわたって前記同時複数のタッチ位置が検出される場合に、前記タッチスクリーンの表示領域を第１のフレーム及び第２のフレームに分割することと
を備え、
複数の接触が前記タッチスクリーンの対角線上にある場合に、水平分割又は垂直分割を決定し、前記分割が前記タッチスクリーンの辺に直交することのみを可能にするか、又は対角線分割、弓形分割、あるいは両方を可能にするパラメータを記憶することをさらに備える、方法。
【請求項２】
スプリットアプリケーションを組み込んだ装置であって、
プロセッサと、
前記プロセッサに結合されたメモリと、
前記プロセッサに結合されたタッチスクリーンと
を備え、
前記メモリは前記プロセッサによって、
前記スプリットアプリケーションに起動時間の少なくとも１つのパラメータを記憶し、ここで、前記起動時間の長さは、前記スプリットアプリケーションにアクセスし、前記少なくとも１つのパラメータを変更することによって、前記装置のユーザによって調整可能であり、
少なくとも前記起動時間の前記長さにわたって前記タッチスクリーン上に同時複数のタッチ位置があることを検出し、
少なくとも前記起動時間の前記長さにわたって前記同時複数のタッチ位置が検出されたことに応答して、前記タッチスクリーンの表示領域を第１のフレーム及び第２のフレームに分割するために実行可能な前記スプリットアプリケーションのための命令を含み、
前記メモリは、複数の接触が前記タッチスクリーンの対角線上にある場合に、水平分割又は垂直分割を決定し、前記分割が前記タッチスクリーンの辺に直交することのみを可能にするか、又は対角線分割、弓形分割、あるいは両方を可能にするパラメータを記憶するように、前記プロセッサによって実行可能な前記スプリットアプリケーションのための命令を含む、装置。
【請求項３】
スプリットアプリケーションを組み込んだ装置であって、
前記スプリットアプリケーションに起動時間の少なくとも１つのパラメータを記憶するための手段と、ここで、前記起動時間の長さは、前記スプリットアプリケーションにアクセスし、前記少なくとも１つのパラメータを変更することによって、前記装置のユーザによって調整可能である、
少なくとも前記起動時間の前記長さにわたって前記装置のタッチスクリーン上に同時複数のタッチ位置があることを検出するための手段と、
少なくとも前記起動時間の前記長さにわたって前記同時複数のタッチ位置が検出される場合に、前記タッチスクリーンの表示領域を第１のフレーム及び第２のフレームに分割するための手段と
を備え、
前記記憶するための手段は、複数の接触が前記タッチスクリーンの対角線上にある場合に、水平分割又は垂直分割を決定し、前記分割が前記タッチスクリーンの辺に直交することのみを可能にするか、又は対角線分割、弓形分割、あるいは両方を可能にするパラメータを記憶するための手段を備える、装置。
【発明の詳細な説明】
【技術分野】
【０００１】
本開示は、一般的にはタッチスクリーンの表示を複数のフレームに分割することに関する。
【背景技術】
【０００２】
幾つかの電子機器は、タッチ入力と組み合わせた表示機能を提供する「タッチスクリーン」又はタッチスクリーン表示器を含む。電子機器は、ユーザが様々なアプリケーション及び機能を利用することを可能にするモバイル通信機器、携帯情報端末、並びにタブレットコンピュータであってもよい。タッチスクリーンは、ユーザによるタッチスクリーンへの接触の存在及び位置を検出することができる。幾つかのタッチスクリーンは、スタイラスのような、無生物物体の接触を検出することができる。
【０００３】
タッチスクリーンを含む幾つかの電子機器は、ユーザがタッチスクリーン上に複数のフレームを生成することを可能にする。複数のフレームは、ユーザが第１の接触点においてタッチスクリーンにタッチし、タッチスクリーンにわたって接触点を動かすことに応答して、タッチスクリーンを第１のフレーム及び第２のフレームとに分割することによって生成され得る。
【発明の概要】
【０００４】
ユーザは、少なくとも起動時間にわたってタッチスクリーンの複数の位置に同時に接触することによって、タッチスクリーン内に２つのフレームを作成することができる。ユーザ選択の設定が、タッチスクリーン上に複数のタッチ位置が検出される場合に分割（split）がどこに位置するかを決定する。２つのフレームが作成された後、追加のフレームがタッチスクリーン内に作成されてもよい。作成されたフレームは、フレームの間の分割（例えば、境界線）の上をダブルタップすることによって、又は、分割をドラッグしてタッチスクリーンの外に出すことによって除去され得る。
【０００５】
特定の実施形態では、方法は、少なくとも起動時間にわたって電子機器のタッチスクリーン上に同時複数のタッチ位置があることを検出することを含む。方法は、複数のタッチ位置に基づいてタッチスクリーンの表示領域を第１のフレーム及び第２のフレームに分割することをも含む。
【０００６】
別の特定の実施形態では装置は、プロセッサと、プロセッサに結合されるメモリと、プロセッサに結合されるタッチスクリーンとを含む。メモリは、プロセッサによって、少なくとも起動時間にわたってタッチスクリーン上に同時複数のタッチ位置があることを検出するために実行可能な命令を含む。メモリは、プロセッサによって、少なくとも起動時間にわたって同時複数のタッチ位置があることが検出されたことに応答して、タッチスクリーンの表示領域を第１のフレーム及び第２のフレームに分割するために実行可能な命令をも含む。
【０００７】
開示される実施形態のうちの少なくとも１つによってもたらされる１つの特定の利点は、タッチスクリーン上でのユーザの接触運動を検出する必要がない、タッチスクリーンを複数のフレームに分離する方法が開示されていることである。別の特定の利点は、開示される実施形態のうちの少なくとも１つが、タッチスクリーンを含む電子機器の分割スクリーン動作を実施するための単純で直感的な方法を可能にする。
【０００８】
本開示の他の態様、利点、及び特徴は、図面の簡単な説明、発明を実施するための形態、及び特許請求の範囲を含む、本出願全体の検討の後に明らかになろう。
【図面の簡単な説明】
【０００９】
【図１】タッチスクリーン上に複数のフレームを提示するように動作可能な電子機器の特定の例示的な実施形態のブロック図。
【図２】電子機器のタッチスクリーン上に複数のフレームを提示することが可能な電子機器の一実施形態の図。
【図３】タッチスクリーン上に複数のフレームが提示されている、図２の電子機器の実施形態の図。
【図４】タッチスクリーン上に複数のフレームが提示されている、図２の電子機器の実施形態の第２の図。
【図５】電子機器のタッチスクリーン上に複数のフレームを提示することが可能な電子機器の一実施形態の図。
【図６】タッチスクリーン上に複数のフレームが提示されている、図５の電子機器の実施形態の図。
【図７】タッチスクリーン上に複数のフレームが提示されている、図５の電子機器の実施形態の第２の図。
【図８】タッチスクリーン上に複数のフレームが提示されている、図５の電子機器の実施形態の第３の図。
【図９】電子機器が、少なくとも起動時間にわたって複数のタッチ位置が検出されたことに応答してオプションを提示する、図５の電子機器の実施形態の第４の図。
【図１０】タッチスクリーン上に複数のフレームを提示する方法の第１の例示的な実施形態の流れ図。
【図１１】タッチスクリーン上に複数のフレームを提示する方法の第２の例示的な実施形態の流れ図。
【図１２】ワイヤレス機器のタッチスクリーン上に複数のフレームを提示することが可能なワイヤレス機器の特定の例示的な実施形態のブロック図。
【発明を実施するための形態】
【００１０】
図１を参照すると、タッチスクリーン上に複数のフレームを提示するように動作可能である電子機器の特定の例示的な実施形態が描かれ、全体として１００と示されている。電子機器１００は、限定はしないが、モバイルフォン、音楽プレーヤ、ビデオプレーヤ、ゲームユニット、ナビゲーション機器、携帯情報端末、タブレットコンピュータ、書籍リーダ、カメラ、コンピュータ、又はそれらの組合せであってもよい。電子機器１００は、プロセッサ１０２と、メモリ１０４と、タッチスクリーン１０６とを含み得る。プロセッサ１０２は、メモリ１０４内に記憶されているアプリケーション１０８の命令を実行することができる。アプリケーション１０８は、スプリット（分割）アプリケーション１１０を含んでもよい。スプリットアプリケーション１１０は、起動時間にわたってタッチスクリーン１０６上に同時複数のタッチ位置が検出されたことに応答して起動され得る。メモリ１０４は、アプリケーション１０８及び電子機器１００に関する設定１１２をも記憶することができる。設定１１２は、スプリットアプリケーション１１０に関するスプリットアプリケーション設定１１４を含んでもよい。
【００１１】
スプリットアプリケーション１１０は、タッチスクリーン上に表示される画像を２つ以上のフレームに分離するために、タッチスクリーン１０６内に１つ以上の分割１１６を配置するための、プロセッサ１０２によって実行可能な命令を含んでもよい。例えば、図１に示す２つの分割１１６、１１８が、タッチスクリーン１０６を第１のフレーム１２０と、第２のフレーム１２２と、第３のフレーム１２４とに分離することができる。ユーザは、特定の分割にタッチして特定の分割を新たな位置にドラッグすることによって、特定の分割を別の位置に移動することができる。ユーザが特定の分割を除去することを望む場合、ユーザは、特定の分割の上をダブルタップするか、又は特定の分割をドラッグしてタッチスクリーン１０６の外に出せばよい。タッチスクリーン上に第１の分割（例えば、第１のフレーム１２０を画定する垂直スプリット（分割）１１６）を作成し、続いてタッチスクリーン上に追加の分割（例えば、第２のフレーム１２２を第３のフレーム１２４から分離する水平スプリット（分割）１１８）を作成することによって、３つ以上のフレームが作成されてもよい。最初に水平スプリットを作成し、次いで水平スプリットと交差する垂直スプリットを作成することによって、４つのフレームがタッチスクリーン上に作成されてもよい。同様にまた、最初に垂直スプリットを作成し、次いで垂直スプリットと交差する水平スプリットを作成することによって、４つのフレームがタッチスクリーン上に作成されてもよい。
【００１２】
ユーザが、分割１１６が所望されるスクリーン上の位置においてタッチスクリーン１０６上で指を置くか又は押すことなどによって、少なくとも起動時間にわたって複数のタッチ位置においてタッチスクリーン１０６に接触する場合、スプリットアプリケーション１１０が分割１１６を形成し得る。各フレームは、電子機器１００のためのページ（例えば、ホームページ又はサブページ）又はフレーム内で実行しているアプリケーションを表示することができる。起動時間の長さ及び最初にフレーム内に表示されるコンテンツは、スプリットアプリケーション設定１１４に記憶された設定によって制御され得る。幾つかの実施形態では、起動時間は４分の１秒超、２分の１秒超、１秒超、１.５秒超、又は２秒超である。分割１１６が形成される前に起動時間が経過するのを待つことによって、ユーザが複数のタッチ位置においてタッチスクリーン１０６と短く接触する場合に望ましくないフレームが形成されることが妨げられる。起動時間は所定の固定又はデフォルト値に事前設定することができる。起動時間は、スプリットアプリケーション１１０の設定ページにアクセスし、スプリットアプリケーション１１０のパラメータを変更することによって、電子機器１００のユーザによって変更され得る。変更されたパラメータはスプリットアプリケーション設定１１４内に保存され得る。スプリットアプリケーション１１４のパラメータは、限定はしないが、起動時間のパラメータ、複数の接触がタッチスクリーン１０６の対角線上にある場合に水平スプリット又は垂直スプリットをデフォルト設定するパラメータ、一方の設定では分割１１６、１１８がタッチスクリーン１０６の辺に直交することのみを可能にし、他方の設定では対角線分割、弓形分割、又は両方を可能にするパラメータ、起動時間にわたって複数のタッチ位置が検出される場合に、その選択によって、スプリットアプリケーション１１０が、水平スプリット又は垂直スプリットのオプションを提示するようにするパラメータ、及び、分割１１６又は１１８がタッチスクリーン１０６内に位置付けられる場合にフレーム内に何が表示されるかを指定するパラメータを含んでもよい。
【００１３】
別の実施形態では、スプリットアプリケーション１１０は、対角線分割、あるいは、少なくとも１本の指、少なくとも１本の親指、片手又は両手の別の部分、スタイラス、又はそれらの組合せによって決定される線に沿った他の角度の分割を配置してもよい。対角線分割は、幾つかのタイプのアプリケーション（例えば、ゲームアプリケーション）とともに使用するのに有利、有益、及び／又は好都合であり得る。
【００１４】
スプリットアプリケーション１１０は、同時複数のタッチ位置の位置を求めることができる。スプリットアプリケーション１１０は、その位置がタッチスクリーン１０６内でフレームを作成することを所望することを示すか、フレームを作成することを所望することを暗示することなくタッチスクリーン１０６上に単一の大きい接触領域があることを示す（例えば、ユーザが親指の腹又は掌をタッチスクリーン１０６上に置いた）か、又はフレームを作成することを所望することを暗示することなく複数の別個の接触領域があることを示す（例えば、ユーザが３つ以上の指をタッチスクリーン１０６上に置いた）かを決定するために、位置を分析し得る。分析は、複数のタッチ位置を境界する領域の長さと、その領域の幅との比を求めることを含んでもよく、領域の長さは領域の幅以上である。比が高い（例えば、１.２、１.５、１.７、２.０、又は別の値のような、閾値を超える比）ことは、ユーザがタッチスクリーン１０６内にフレームを作成することを所望していることを示し得る。比が低い（例えば、閾値以下の比）ことは、ユーザがタッチスクリーン内にフレームを作成することを所望していないことを示し得る。
【００１５】
一実施形態では、タッチスクリーン１０６は、３Ｄタッチ検知を用いた（例えば、３次元におけるタッチ事象を検出する少なくとも１つの光学カメラを介してユーザのタッチ及びユーザの動きを解釈し、又は音響３Ｄ測位を介してユーザのタッチ及びユーザの動きを解釈することによる）３次元（３Ｄ）表示器（例えば、裸眼立体視３Ｄ表示器）であってもよい。一実施形態では、分割１１６、１１８は、分割１１６、１１８の平面がタッチスクリーン１０６の２次元（２Ｄ）面に直交する３Ｄ分割である。例えば、ユーザは、起動時間にわたって、手の面が分割（例えば、分割１１６）の所望の位置にあるように、手の縁をタッチスクリーン１０６の表面上に置いてもよい。スプリットアプリケーション１１０は、タッチスクリーン１０６上に表示される３Ｄ空間内に分割１１６を作成する。別の実施形態では、分割１１６、１１８は、（例えば、ユーザの指が起動時間にわたってタッチスクリーン１０６の上を浮動し、２Ｄ表面上の或る位置で終端する平面又は表面内を動くことによって、ユーザのタッチスクリーン１０６に対する３Ｄ運動によって確定される平面又は表面に沿って現れる。そのような場合、スプリットアプリケーション１１０はユーザによってトレースされる平面又は表面と対応するように分割１１６又は１１８を作成する。別の実施形態では、３Ｄ分割は、指が起動時間にわたって表面上に置かれたときの２Ｄ表面上の位置において開始し、表面の上に続く、ユーザの指の３Ｄ運動によって画定される表面に沿って現れる。最後の２つの実施形態では、分割１１６又は１１８の出現を決定するのに時間が使用されてもよい。例えば、指を２Ｄタッチ面上に位置付けることによって開始する表面に沿った３Ｄ分割を画定する実施形態では、指が２Ｄ表面を残していることを検出すると、最小時間（例えば、０.２５秒）及び最大時間（例えば、２秒）の間、又はそれらのうちのちょうど一方の間、３Ｄ表面に沿って指が動くことによって、分割１１６又は１１８の表面が画定される。
【００１６】
別の実施形態では、２Ｄ又は３Ｄスクリーン分割の動作制御を示すために、その動きが分割を画定するためのものであったことを示すために分割表面画定運動の完了時に追加の指示（例えば、ダブルタップ）がもたらされる。そのようなプロセスは、指を２Ｄ表面上に位置付けることと、所望の分割を画定する許容可能な経路に沿って指を動かすことと、分割が作成されるべきものであることを示すために別の指を用いて２Ｄ表面上に追加の指示（例えば、ダブルタップ）を提供することとを含み得る。
【００１７】
分割１１６、１１８は、複数のタッチ位置が実質的に水平である場合には複数のタッチ位置によって決定される線に沿って水平であり得る。複数のタッチ位置は、複数のタッチ位置に適合する線が水平の約３０度内、水平の約２０度内、水平の約１０度内にあるときに、実質的に水平であり得る。分割１１６、１１８は、複数のタッチ位置が実質的に垂直である場合には複数のタッチ位置によって決定される線に沿って垂直であり得る。複数のタッチ位置は、複数のタッチ位置に適合する線が垂直の約３０度内、垂直の約２０度内、又は垂直の約１０度内にあるときに、実質的に垂直であり得る。分割１１６、１１８は、複数のタッチ位置が実質的に垂直又は実質的に水平でない場合には複数のタッチ位置によって決定される線に沿って或る角度にあり得る。
【００１８】
図２は、分割がタッチスクリーン１０６上に位置付けられる前のタッチスクリーン１０６を有する電子機器２００の特定の例示的な実施形態を示す。タッチスクリーン１０６は、ステータスバー２０２と、アプリケーションアイコン２０４と、頻用アプリケーションバー２０６とを含む、電子機器１００のホームページを表示してもよい。ユーザは、タッチスクリーン１０６を第１のフレーム及び第２のフレームに分離する、タッチスクリーン１０６上の分割を配置するために起動時間にわたって線２０８によって示される複数の位置においてタッチスクリーン１０６に同時に接触し得る。一実施形態では、ユーザが親指又は指の一部を線２０８に沿ってタッチスクリーン１０６の上に置くことによって（例えば、指の指骨が線２０８に沿った１つ以上の線分を形成するようにタッチスクリーン１０６に上に指の掌側を軽く置くことによって）複数の位置においてタッチスクリーン１０６に同時に接触してもよい。別の実施形態では、ユーザは、手指の先端が線２０８に沿った線分を形成するように、タッチスクリーン１０６の上に線２０８を形成するために、２つ以上の手指（digit）（例えば、指、親指、又はそれらの組合せ）の先端を互いに隣り合わせて置くことによって複数の位置においてタッチスクリーン１０６に同時に接触してもよい。別の実施形態では、ユーザは、タッチスクリーン１０６に沿った線２０８を形成するために手の縁をタッチスクリーン１０６に置くことによって複数の位置においてタッチスクリーン１０６に同時に接触してもよい。線２０８は、線２０８に沿った１つ以上の線分を形成するような、タッチスクリーン１０６の上での身体部分（例えば、指、手、腕など）の他の操作によって形成されてもよい。フレームは、電子機器１００がタッチスクリーン１０６の上でのタッチ位置の動きをトラッキングする必要なく形成されてもよい。線２０８は、ステータスバー２０２、アプリケーション２０４、及び頻用アプリケーションバー２０６のうちの１つ又は複数を通過してもよいし、（図２に示すように）通過しなくてもよい。
【００１９】
図３は、ユーザが起動時間にわたって図２の線２０８が示す複数のタッチ位置に沿ってタッチスクリーン１０６に接触する場合の、かつスプリットアプリケーションの設定が傾斜した分割、弓形分割又はその両方を許容する場合の図２の電子機器２００を示す。図３に示すように、分割３０２は、実質的に複数のタッチ位置（図２の線２０８によって表される）に沿ってタッチスクリーン１０６の第１の辺からタッチスクリーン１０６の第２の辺に向かって位置付けられる。分割３０２はタッチスクリーン１０６を第１のフレーム３０４及び第２のフレーム３０６に分割する。幾つかの実施形態では、分割３０２は、分割３０２の上側部分３０８が分割３０２の下側部分３１０とは異なる色になることを可能にする幅を有してもよい。フレーム３０４又は３０６のいずれかが頻用アプリケーションバー２０６から選択されるアプリケーションをホストすることになるか、又は、電子ブックを通しての分割スクリーンスクロールのような、幾つかのアプリケーションにおいていずれのフレームが「アクティブ」であるかを示すために、分割３０２の上側部分３０８又は下側部分３１０内に色インジケータ（例えば、赤又は他の明確に区別できる色）が存在してもよい。分割３０２の他方の部分３１０又は３０８は、色インジケータの色から視覚的に明確に区別できる異なる色（例えば、灰色）であり得る。ユーザは、アプリケーションアイコン２０４の１つに接触することなく色インジケータによって示されていないフレーム３０４又は３０６内のタッチスクリーン１０６にタッチすることによって、色インジケータが示される場所を変更してもよい。
【００２０】
図４は、ユーザが起動時間にわたって図２の線２０８が示す複数のタッチ位置に沿ってタッチスクリーン１０６に接触する場合の、かつスプリットアプリケーションの設定が、特定の１辺又は複数の辺に対してタッチスクリーン１０６の辺に並行又は直交する分割のみを許容する場合の図２の電子機器２００を示す。図４に示すように、分割４０２は、タッチスクリーン１０６の長辺に直交して、タッチスクリーン１０６の第１の辺からタッチスクリーン１０６の第２の辺に向かって位置付けられる。分割４０２はタッチスクリーン１０６を第１のフレーム４０４及び第２のフレーム４０６に分割する。分割４０２は、図２に示す線２０８の最上タッチ位置と最下タッチ位置との間の約半分のところに位置してもよい。他の実施形態では、分割４０２は線２０８の最上タッチ位置、線２０８の最下タッチ位置、又は何らかの他の位置に位置してもよい。フレーム４０４又は４０６のいずれが現在アクティブであり、頻用アプリケーションバー２０６から選択されるアプリケーションをホストすることになるかを示すために、分割４０２の上側部分４０８又は下側部分４１０内に色インジケータが存在してもよい。
【００２１】
図５は、電子機器５００上で実行しているアプリケーションＡをタッチスクリーン１０６上に表示している電子機器５００の特定の例示的な実施形態を示す。電子機器５００のユーザは、タッチスクリーン１０６を第１のフレーム及び第２のフレームに分割するために起動時間にわたって複数のタッチ位置においてタッチスクリーン１０６に接触し得る。例えば、ユーザは、タッチスクリーン１０６に水平スプリットを生成するために起動時間にわたって第１の位置５０２及び第２の位置５０４に同時にタッチし得る。一実施形態では、ユーザは、第１の指先で第１の位置５０２に接触してもよく、第２の指先で第２の位置５０４に接触してもよい。代替的に、第１の位置５０２及び第２の位置５０４に接触する代わりに、ユーザは、タッチスクリーン１０６上に垂直スプリットを生成するために、起動時間にわたって線５０６に沿った複数の位置においてタッチスクリーンに同時にタッチしてもよい。
【００２２】
図６は、ユーザが起動時間にわたって図５の第１の位置５０２及び第２の位置５０４においてタッチスクリーン１０６に同時に接触する場合の、かつスプリットアプリケーションの設定が各フレーム内に実行アプリケーションのインスタンスを配置する場合の、図５の電子機器５００を示す。図６に示すように、分割６０２は、タッチスクリーン１０６の第１の辺からタッチスクリーン１０６の第２の辺に向かって水平に位置付けられる。分割６０２は、図５の第１の位置５０２と第２の位置５０４との間の線に対応し得、タッチスクリーンを第１のフレーム６０４及び第２のフレーム６０６に分離し得る。アプリケーションＡのインスタンスは各フレーム６０４、６０６内に示され得る。特定の例示的な実施形態では、アプリケーションＡは書籍リーダである。アプリケーションＡのインスタンスが複数あることによって、ユーザは、同じコンテンツの異なる部分をタッチスクリーン１０６上に同時に表示することが可能になり得る。フレーム６０４又は６０６のいずれが現在アクティブであるかを示すために分割６０２の第１の部分６０８又は第２の部分６１０内に色インジケータ（例えば、赤又は他の明確に区別できる色）が存在してもよい。分割６０２の他方の部分６１０又は６０８は、色インジケータの色から視覚的に明確に区別できる異なる色（例えば、灰色）であり得る。ユーザは、色インジケータによって示されていないフレーム６０４又は６０６内のタッチスクリーン１０６にタッチすることによって、色インジケータが示される場所を変更してもよい。
【００２３】
図７は、ユーザが起動時間にわたって図５の線５０６によって示される複数のタッチ位置に沿ってタッチスクリーン１０６に同時に接触する場合の、かつスプリットアプリケーションの設定が各フレーム内に実行アプリケーションのインスタンスを配置する場合の、図５の電子機器５００を示す。図７に示すように、分割７０２は、タッチスクリーン１０６の第１の辺（例えば、上辺）からタッチスクリーン１０６の第２の辺（例えば、底辺）に向かって垂直に位置付けられる。分割７０２はタッチスクリーンを第１のフレーム７０４及び第２のフレーム７０６に分離する。アプリケーションＡのインスタンスは、各フレーム７０４、７０６内に示され得、アプリケーションＡの第１のインスタンスが第１のフレーム７０４内でアクティブ化され、アプリケーションＡの第２のインスタンスが第２のフレーム７０６内でアクティブ化される。
【００２４】
図８は、ユーザが起動時間にわたって図５の線５０６によって示される複数のタッチ位置においてタッチスクリーン１０６に同時に接触する場合の、かつスプリットアプリケーションの設定が第１のフレーム内に実行アプリケーションのインスタンスを配置し、第２のフレーム内にホームページを配置する場合の、図５の電子機器５００を示す。図８に示すように、分割８０２は、タッチスクリーン１０６の第１の辺からタッチスクリーン１０６の第２の辺に向かって垂直に位置付けられる。アプリケーションＡのインスタンスは第１のフレーム８０４内に維持され、第２のフレーム８０６内にホームページが表示される。ユーザは、特定のアプリケーションのアプリケーションアイコンにタッチすることによって、第２のフレーム８０６内で特定のアプリケーションを実行してもよい。
【００２５】
図９は、ユーザが起動時間にわたって図５の第１の位置５０２及び第２の位置５０４において、又は図５の線５０６によって示される複数のタッチ位置に沿ってのいずれかでタッチスクリーンに同時に接触する場合の、かつスプリットアプリケーションの設定が、水平スプリット（例えば、タッチスクリーン１０６の長辺に平行な）又は垂直スプリット（例えば、タッチスクリーン、タッチスクリーン１０６の短辺に平行な）に関するオプションを提示するように設定される場合の、図５の電子機器５００を示す。スプリットアプリケーションは、水平スプリットを配置するための第１のオプション９０４と、垂直スプリットを配置するための第２のオプション９０６と、キャンセルするための第３のオプション９０８とを含むウィンドウ９０２を提示し得る。ユーザが第１のオプション９０４を選択する場合に、ユーザが実行中のアプリケーションを作成されたフレーム内に提示されるようにするように選択していた場合には、図６に示す表示と同様の表示がユーザに提示され得る。ユーザが第２のオプション９０６を選択する場合に、ユーザが実行中のアプリケーションを作成されたフレーム内に提示されるようにするように選択していた場合には、図７に示す表示と同様の表示がユーザに提示され得る。ユーザが第３のオプション９０８を選択する場合、又はユーザがタイムアウト期間内にオプション９０４〜９０８のうちの１つの選択を行わない場合には、表示は図５に示す表示と同様の表示に戻り得る。
【００２６】
図１０を参照すると、タッチスクリーン上に複数のフレームを提示する方法の第１の例示的な実施形態の流れ図が描かれ、全体として１０００と示されている。説明例として、方法１０００は、図１の電子機器によって実行され、図３、図４及び図６〜図８に提示されるタッチスクリーン１０６がもたらされ得る。
【００２７】
方法１０００は、１００２において、少なくとも起動時間にわたって電子機器のタッチスクリーン上に同時複数のタッチ位置があることを検出することを含む。方法１０００は、１００４において、少なくとも起動時間にわたって同時複数のタッチ位置があることが検出される場合に、タッチスクリーンの表示領域を第１のフレーム及び第２のフレームに分割することをも含む。
【００２８】
検出される同時複数のタッチ位置は、ユーザの一部（例えば、指又は親指の一部）、機器（例えば、スタイラス）、又はそれらの組合せによって生成され得る。例えば、電子機器は、ユーザが手の一部をタッチスクリーンの少なくとも一部と接して置く場合に同時複数のタッチ位置を検出してもよい。手の一部は、限定はしないが、手の縁、少なくとも１本の指、親指の一部、２本の指の一部（例えば、２本の指の先）、指の一部及び親指の一部、又はそれらの組合せであってもよい。同時複数のタッチ位置は、異なる手の部分によって、異なる複数の身体部分（例えば、腕の一部、足の一部、又は２本の足の部分）によって、又はそれらの組合せによって作られてもよい。
【００２９】
第１のフレームと第２のフレームとの間の分割は、同時複数のタッチ位置の、タッチスクリーン上の一番端の接触点間の経路に沿って延在し得る。分割はタッチスクリーンの縁まで延在してもよい。幾つかの実施形態では、分割は、図３に示すような、複数のタッチ位置によって画定される線に沿ってタッチスクリーンの第１の縁からタッチスクリーンの第２の縁まで延在する傾斜した線であってもよい。ユーザは、分割にタッチして分割を新たな位置にドラッグすることによって、分割を別の位置に移動することができる。
【００３０】
他の実施形態では、分割は、図４に示すように、タッチスクリーンの縁に直交してもよい。複数のタッチ位置のうちの少なくとも１つがタッチスクリーンの縁に接する場合、分割はタッチスクリーンにわたって縁に直交して伸びてもよい。分割は、縁にある接触点において、縁にある接触点とこの縁にある接触点から最も通り接触点との間の中間の位置において、又は縁にある接触点に対する別の位置において始まってもよい。
【００３１】
複数のタッチ位置のうちの少なくとも１つがタッチスクリーンの縁に接しない場合、分割は一番端のタッチ位置に基づいて位置付けられてもよい。例えば、第１のタッチ位置がタッチスクリーンの第１の長辺の近くにあり、第２のタッチ位置がタッチスクリーンの第２の長辺の近くにある場合、分割は第１の長辺から第２の長辺へと、第１のタッチ位置と第２のタッチ位置との間の中間に位置付けられてもよい。別の例として、第１のタッチ位置がタッチスクリーンの第１の長辺の近くにあり、第２のタッチ位置もタッチスクリーンの第１の長辺の近くにある場合、分割は第１の長辺から第２の長辺へと、第１のタッチ位置と第２のタッチ位置との間の中間に位置付けられてもよい。別の例として、最上タッチ位置及び最下タッチ位置が長方形タッチスクリーンの対角線上に位置する場合、分割はタッチスクリーンの長辺に直交する分割にデフォルト設定されてもよい。最上タッチ位置及び最下タッチ位置が長方形タッチスクリーンの対角線上に位置する場合、タッチスクリーンの設定は、分割がタッチスクリーンの短辺に直交するように変更されてもよい。ユーザは、分割にタッチして分割を新たな位置にドラッグすることによって、分割を別の位置に移動することができる。
【００３２】
方法１０００は表示領域を第１のフレーム及び第２のフレームに分割することを記載しているが、他の実施形態では、方法１０００は、既存のフレームを分割するために適用することができる。例えば、第２のフレームを、図１の第２のフレーム１２２及び第３のフレーム１２４のような、変更された第２のフレーム及び第３のフレームに分割するために、同時複数のタッチ位置を検出することができる。
【００３３】
図１１を参照すると、タッチスクリーン上に複数のフレームを提示する方法の第１の例示的な実施形態の流れ図が描かれ、全体として１１００と示されている。説明例として、方法１１００は、図１のシステムによって実行され、図３、図４及び図６〜図９に提示されるタッチスクリーン１０６がもたらされ得る。
【００３４】
方法１１００は、１１０２において、少なくとも起動時間にわたって電子機器のタッチスクリーン上に同時複数のタッチ位置があることを検出することを含む。方法１１００は、１１０４において、少なくとも水平分割選択肢、垂直分割選択肢、及びキャンセルオプションを提示することをも含む。
【００３５】
１１０６において、水平分割選択肢の選択がユーザから受信されるか否かについて決定が行われる。ユーザが水平分割選択肢を選択する場合、１１０８において、タッチスクリーンは第１のフレーム及び第２のフレームに分割され、第１のフレームと第２のフレームとの間の分割は水平スプリットである。分割の位置はタッチスクリーンの上縁と下縁との間の中間であってもよく、又は、分割の位置は、複数のタッチ位置に基づいてもよい。ユーザは、分割にタッチして分割を新たな位置にドラッグすることによって、分割を別の位置に移動することができる。
【００３６】
水平分割選択肢の選択が検出されない場合、１１１０において、垂直分割選択肢の選択がユーザから受信されるか否かについて決定が行われる。ユーザが垂直分割選択肢を選択する場合、１１１２において、タッチスクリーンは第１のフレーム及び第２のフレームに分割され、第１のフレームと第２のフレームとの間の分割は垂直スプリットである。分割の位置はタッチスクリーンの左縁と右縁との間の中間であってもよく、又は、分割の位置は、複数のタッチ位置に基づいてもよい。ユーザは、分割にタッチして分割を新たな位置にドラッグすることによって、分割を別の位置に移動することができる。
【００３７】
水平分割選択肢も垂直分割選択肢も受信されない場合、１１１４において、方法１１００は水平分割選択肢、垂直分割選択肢、及びキャンセルオプションの提示を除去し得る。これらのオプションは、キャンセルオプションが受信される場合、又は、オプションの選択が受信されることなくタイムアウトが発生する場合に除去されてもよい。
【００３８】
図１２を参照すると、モバイルフォンなどの電子機器の特定の例示的な実施形態のブロック図が示され、全体的に１２００と称される。代替的に、電子機器１２００は、音楽プレーヤ、ビデオプレーヤ、ゲームユニット、ナビゲーション機器、通信機器、携帯情報端末（ＰＤＡ）、タブレットコンピュータ、書籍リーダ、カメラ、コンピュータ、又はそれらの組合せであってもよい。機器１２００は、メモリ１２０４に結合されたプロセッサ１２０２を含んでいる。プロセッサ１２０２は、コントローラ１２０６を含んでいる、又はこれに結合されている。表示器コントローラ１２０６は、タッチスクリーン１２０８から表示入力を受信することができる。表示器コントローラ１２０６は、タッチスクリーン１２０８に表示出力を提供することもできる。
【００３９】
また図１２は、プロセッサ１２０２に結合されたカメラコントローラ１２１０を示している。カメラ１２１２はカメラコントローラ１２１０に結合することができる。符号化器／復号器（ＣＯＤＥＣ）１２１４もまた、プロセッサ１２０２に結合することができる。スピーカ１２１６及びマイクロフォン１２１８はコーデック１２１４に結合され得る。
【００４０】
図１２はまた、ワイヤレスインターフェース１２２０がプロセッサ１２０２とワイヤレスアンテナ１２２２とに結合され得ることを示す。特定の実施形態では、プロセッサ１２０２、表示器コントローラ１２０６、メモリ１２０４、ＣＯＤＥＣ１２１４、カメラコントローラ１２１０、及びワイヤレスインターフェース１２２０は、システムインパッケージ又はシステムオンチップ１２２４に含まれる。特定の実施形態では、入力機器１２２６及び電源１２２８はオンチップシステム１２２４に結合される。さらに、特定の実施形態では、図１２に示すように、タッチスクリーン１２０８、入力機器１２２６、スピーカ１２１６、マイクロフォン１２１８、ワイヤレスアンテナ１２２２、及び電源１２２８は、オンチップシステム１２２４の外部にある。しかしながら、各々は、インターフェース又はコントローラなど、オンチップシステム１２２４の構成要素に結合され得る。
【００４１】
特定の実施形態では、プロセッサ１２０２は、メモリ１２０４に記憶されたプログラム命令１２３０など、プロセッサ可読媒体からプロセッサ可読プログラム命令を実行する。プロセッサ１２０２はプログラム命令の実行中に設定１２３２内に記憶されたパラメータ及び情報を利用することができる。例えば、メモリ１２０４は、プロセッサ１２０２によって読み取り可能とすることができ、プログラム命令１２３０は、図１０の方法１０００、図１１の方法１１００、又はその両方を実行するためにプロセッサ１２０２によって実行可能な操作命令とすることができる。
【００４２】
例えば、プログラム命令１２３０は、少なくとも起動時間にわたって電子機器１２００のタッチスクリーン１２０８上に同時複数のタッチ位置があることを検出するために、プロセッサ１２０２によって実行可能である命令を含んでもよい。プログラム１２３０は、少なくとも起動時間にわたって同時複数のタッチ位置があることが検出される場合に、タッチスクリーンの表示領域を第１のフレーム及び第２のフレームに分割するための、プロセッサ１２０２によって実行可能な命令をさらに含んでもよい。
【００４３】
さらに、本明細書に開示する諸実施形態と関連して説明する様々な例示的論理ブロック、構成、モジュール、回路、及びアルゴリズムのステップは、電子ハードウェア、プロセッサによって実行されるコンピュータソフトウェア、又は両方の組合せとして実施できることを、当業者は理解するであろう。様々な例示的な構成要素、ブロック、構成、モジュール、回路、及びステップを、上記では概して、それらの機能に関して説明した。そのような機能をハードウェアとして実施するか、プロセッサによって実行されるソフトウェアとして実施するかは、特定の適用例及び全体的なシステムに課される設計制約に依存する。当業者は、説明した機能を特定の適用例ごとに様々な方法で実施することができるが、そのような実施の決定は、本開示の範囲からの逸脱を生じるものと解釈すべきではない。
【００４４】
図１０及び１１の方法は、コンピュータ可読命令の形態でメモリに記憶することができるプログラムコードを実行することによって実行されてもよい。その場合、デジタル信号プロセッサ（ＤＳＰ）、画像信号プロセッサ（ＩＳＰ）、又は他のプロセッサなどのプロセッサが、画像処理方法の１つ又は複数を行うために、メモリに記憶された命令を実行してもよい。場合によっては、方法は、画像処理を加速するための様々なハードウェアコンポーネントを呼び出すＤＳＰ又はＩＳＰによって実行されてもよい。他の場合では、本明細書に記載するユニットは、マイクロプロセッサ、１つもしくは複数の特定用途向け集積回路（ＡＳＩＣ）、１つもしくは複数のフィールドプログラマブルゲートアレイ（ＦＰＧＡ）、又はその任意の組合せとして実施されてもよく、又は方法は、これらによって実行されてもよい。
【００４５】
本明細書で開示する実施形態に関して説明する方法又はアルゴリズムのステップは、直接ハードウェアで実施するか、プロセッサによって実行されるソフトウェアモジュールで実施するか、又はその２つの組合せで実施されてもよい。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ）、レジスタ、ハードディスク、リムーバブルディスク、コンパクトディスク読取り専用メモリ（ＣＤ−ＲＯＭ）、又は当技術分野で知られている任意の他の形態の非一時的コンピュータ可読記憶媒体中に常駐してもよい。例示的な記憶媒体は、プロセッサが記憶媒体から情報を読み取り、記憶媒体に情報を書き込むことができるように、プロセッサに結合される。代替として、記憶媒体はプロセッサに一体化されてもよい。プロセッサ及び記憶媒体は特定用途向け集積回路（ＡＳＩＣ）中に常駐してもよい。ＡＳＩＣは、コンピューティング機器又はユーザ端末中に常駐してもよい。代替として、プロセッサ及び記憶媒体は、コンピューティング機器又はユーザ端末中に個別構成要素として常駐してもよい。
【００４６】
開示した実施形態の上記の説明は、開示した実施形態を当業者が作成又は使用できるように行ったものである。これらの実施形態への様々な変更は当業者にはすぐに明らかになり、本明細書で定義された原理は本開示の範囲から逸脱することなく他の実施形態に適用できる。したがって、本開示は、本明細書に示した実施形態に限定されるものではなく、特許請求の範囲によって定義される原理及び新規の特徴と合致することが可能な最も広い範囲が与えられるべきものである。
以下に、本願出願の当初の特許請求の範囲に記載された発明を付記する。
［Ｃ１］
少なくとも起動時間にわたって電子機器のタッチスクリーン上に同時複数のタッチ位置があることを検出することと、
少なくとも前記起動時間にわたって前記同時複数のタッチ位置が検出される場合に、前記タッチスクリーンの表示領域を第１のフレーム及び第２のフレームに分割することと
を備える、方法。
［Ｃ２］
少なくとも前記起動時間にわたって前記同時複数のタッチ位置が検出された後、前記タッチスクリーンを介してユーザに少なくとも水平分割選択肢及び垂直分割選択肢を提示することをさらに備え、前記ユーザが前記水平分割選択肢を選択する場合には前記第１のフレームと前記第２のフレームとの間の分割は水平分割であり、前記ユーザが前記垂直分割選択肢を選択する場合には前記第１のフレームと前記第２のフレームとの間の前記分割は垂直分割である、Ｃ１に記載の方法。
［Ｃ３］
前記表示領域を分割する前に、前記同時複数のタッチ位置が、前記第１のフレーム及び前記第２のフレームを形成することが所望されることを示すか否かを決定することをさらに備える、Ｃ１に記載の方法。
［Ｃ４］
前記同時複数のタッチ位置が、前記第１のフレーム及び前記第２のフレームを形成することが前記所望されることを示すか否かを決定することは、前記複数のタッチ位置を境界する領域の長さと、前記領域の幅との比を閾値と比較することを備える、Ｃ３に記載の方法。
［Ｃ５］
前記電子機器は、ユーザが手の一部を前記タッチスクリーンの少なくとも一部の上に置く場合に前記同時複数のタッチ位置を検出するように構成される、Ｃ１に記載の方法。
［Ｃ６］
前記第１のフレームと前記第２のフレームとの間の分割は、前記同時複数のタッチ位置の、一番端の接触点間の経路に沿って延在する、Ｃ５に記載の方法。
［Ｃ７］
前記手の前記一部は前記手の縁を備える、Ｃ５に記載の方法。
［Ｃ８］
前記手の前記一部は少なくとも１本の指の一部を備える、Ｃ５に記載の方法。
［Ｃ９］
前記手の前記一部は親指の一部を備える、Ｃ５に記載の方法。
［Ｃ１０］
前記同時複数のタッチ位置は、前記タッチスクリーンの第１の縁にある第１のタッチ位置を備え、前記第１のフレームと前記第２のフレームとの間の分割は前記第１のタッチ位置における前記第１の縁から前記タッチスクリーンの第２の縁まで直交に延在する、Ｃ１に記載の方法。
［Ｃ１１］
前記同時複数のタッチ位置は、前記タッチスクリーンの第１の縁の付近の第１のタッチ位置と、前記第１の縁の反対にある、前記タッチスクリーンの第２の縁の付近の第２のタッチ位置とを備える、Ｃ１に記載の方法。
［Ｃ１２］
前記第１のフレームと前記第２のフレームとの間の分割は、前記第１のタッチ位置と前記第２のタッチ位置との間で実質的に等距離にある位置において前記第１の縁に沿って開始して前記第１の縁に直交して延在する、Ｃ１１に記載の方法。
［Ｃ１３］
前記分割の前の前記表示領域内でアプリケーションの第１の状態がアクティブであり、前記方法は、少なくとも前記起動時間にわたって前記同時複数のタッチ位置が検出されるのに応答して、前記第２のフレーム内で前記アプリケーションの第２のインスタンスを起動することをさらに備える、Ｃ１に記載の方法。
［Ｃ１４］
前記分割の前の前記表示領域内でアプリケーションの状態がアクティブであり、前記方法は、少なくとも前記起動時間にわたって前記同時複数のタッチ位置が検出されるのに応答して、前記第１のフレーム内の前記アプリケーションを維持することと、少なくとも前記起動時間にわたって前記同時複数のタッチ位置が検出されるのに応答して、前記第２のフレーム内にホームスクリーンの少なくとも一部を表示することとをさらに備える、Ｃ１に記載の方法。
［Ｃ１５］
前記同時複数のタッチ位置が実質的に水平である場合には、前記第１のフレームと前記第２のフレームとの間の分割は前記同時複数のタッチ位置から画定される線に沿って水平であり、前記同時複数のタッチ位置が実質的に垂直である場合には、前記分割は前記線に沿って垂直であり、前記同時複数のタッチ位置が実質的に水平でも垂直でもない場合には、前記分割は前記線に沿って或る角度にある、Ｃ１に記載の方法。
［Ｃ１６］
前記タッチスクリーンは３次元（３Ｄ）表示器を含み、前記タッチスクリーンの前記表示領域を分割することは、前記タッチスクリーンによって表示される３Ｄ空間内に分割を作成することを含む、Ｃ１に記載の方法。
［Ｃ１７］
前記３Ｄ空間は、３Ｄタッチ検知を介して検出されるユーザのタッチ位置又はユーザの動きにしたがって表面に沿って分割される、Ｃ１６に記載の方法。
［Ｃ１８］
プロセッサと、
前記プロセッサに結合されたメモリと、
前記プロセッサに結合されたタッチスクリーンと
を備え、
前記メモリは前記プロセッサによって、
少なくとも起動時間にわたって前記タッチスクリーン上に同時複数のタッチ位置があることを検出し、
少なくとも前記起動時間にわたって前記同時複数のタッチ位置が検出されたことに応答して、前記タッチスクリーンの表示領域を第１のフレーム及び第２のフレームに分割するために実行可能な命令を含む、装置。
［Ｃ１９］
前記装置は、ユーザが手の一部を前記タッチスクリーンの少なくとも一部の上に置く場合に前記複数のタッチ位置における接触を検出するように構成される、Ｃ１８に記載の装置。
［Ｃ２０］
前記装置は、ユーザが第１の指で第１のタッチ位置にタッチし、第２の指で第２のタッチスクリーンにタッチする場合に前記複数のタッチ位置における接触を検出するように構成される、Ｃ１８に記載の装置。
［Ｃ２１］
前記起動時間は２分の１秒超である、Ｃ１８に記載の装置。
［Ｃ２２］
前記起動時間は前記装置の調整可能な設定である、Ｃ１８に記載の装置。
［Ｃ２３］
前記装置は、前記表示領域を分割する前に、前記同時複数のタッチ位置が、前記第１のフレーム及び前記第２のフレームを形成することが所望されることを示すか否かを決定するように構成される、Ｃ１８に記載の装置。
［Ｃ２４］
前記タッチスクリーンは３次元（３Ｄ）表示器を含み、前記タッチスクリーンの前記表示領域は、前記タッチスクリーンによって表示される３Ｄ空間内に分割を作成することによって分割される、Ｃ１８に記載の装置。
［Ｃ２５］
プロセッサ実行可能命令を記憶する非一時的コンピュータ可読媒体であって、前記命令は、
少なくとも起動時間にわたってタッチスクリーン上に同時複数のタッチ位置があることを検出するためのコードと、
少なくとも前記起動時間にわたって前記同時複数のタッチ位置が検出される場合に、前記タッチスクリーンの表示領域を第１のフレーム及び第２のフレームに分割するためのコードと
を備える、非一時的コンピュータ可読媒体。
［Ｃ２６］
少なくとも前記起動時間にわたって前記同時複数のタッチ位置の検出の後に、前記タッチスクリーンを介して少なくとも水平分割選択肢及び垂直分割選択肢を表示するためのコードをさらに備える、Ｃ２５に記載の非一時的コンピュータ可読媒体。
［Ｃ２７］
少なくとも前記起動時間にわたって前記同時複数のタッチ位置の検出の後に、前記タッチスクリーンを介してキャンセルオプションを表示するためのコードをさらに備える、Ｃ２５に記載の非一時的コンピュータ可読媒体。
［Ｃ２８］
少なくとも起動時間にわたって電子機器のタッチスクリーン上に同時複数のタッチ位置があることを検出するための手段と、
少なくとも前記起動時間にわたって前記同時複数のタッチ位置が検出される場合に、前記タッチスクリーンの表示領域を第１のフレーム及び第２のフレームに分割するための手段と
を備える、装置。
［Ｃ２９］
前記同時複数のタッチ位置を検出するための手段は、ユーザが手の一部を前記タッチスクリーンの少なくとも一部の上に置く場合に前記同時複数のタッチ位置を検出するように構成される、Ｃ２８に記載の装置。
［Ｃ３０］
前記起動時間は２分の１秒超である、Ｃ２８に記載の装置。
［Ｃ３１］
前記タッチスクリーンをさらに備える、Ｃ２８に記載の装置。
［Ｃ３２］
前記電子機器は、モバイルフォン、音楽プレーヤ、ビデオプレーヤ、ゲームユニット、ナビゲーション機器、通信機器、携帯情報端末、タブレットコンピュータ、書籍リーダ、及びカメラのうちの少なくとも１つを備える、Ｃ２８に記載の装置。
【図１】
0005989667.tif 000002
【図２】
0005989667.tif 000003
【図３】
0005989667.tif 000004
【図４】
0005989667.tif 000005
【図５】
0005989667.tif 000006
【図６】
0005989667.tif 000007
【図７】
0005989667.tif 000008
【図８】
0005989667.tif 000009
【図９】
0005989667.tif 000010
【図１０】
0005989667.tif 000011
【図１１】
0005989667.tif 000012
【図１２】
0005989667.tif 000013